(57)【要約】【課題】硬貨周縁のエッジ部の摩耗又は変形を検出することが可能な硬貨摩耗又は変形検出装置を提供する。【解決手段】硬貨周縁のエッジ部における摩耗又は変形を検出する装置であって、硬貨径よりも大きい円環状で硬貨面に対する照射角度が０度を超えて４５度以下の範囲内で光を照射する光源部と、前記光源部により照明された前記硬貨の全体反射画像を撮像する撮像部と、前記撮像部で撮像された前記全体反射画像における周縁の輝度分布に基づいて前記硬貨の周縁における摩耗又は変形の有無を判定する判定部と、を有することを特徴とする硬貨摩耗又は変形検出装置である。【選択図】図６
2019185652.tif 000002
【特許請求の範囲】
【請求項１】
硬貨周縁のエッジ部における摩耗又は変形を検出する装置であって、
硬貨径よりも大きい円環状で硬貨面に対する照射角度が０度を超えて４５度以下の範囲内で光を照射する光源部と、
前記光源部により照明された前記硬貨の全体反射画像を撮像する撮像部と、
前記撮像部で撮像された前記全体反射画像における周縁の輝度分布に基づいて前記硬貨の周縁における摩耗又は変形の有無を判定する判定部と、
を有することを特徴とする硬貨摩耗又は変形検出装置。
【請求項２】
前記判定部は、前記全体反射画像の前記周縁に位置する環状明部の幅を測定する測定部を含むことを特徴とする請求項１に記載の硬貨摩耗又は変形検出装置。
【請求項３】
前記測定部は、前記全体反射画像の硬貨径と、前記環状明部に囲まれた前記全体反射画像の中央暗部の径との差から、前記環状明部の幅を求めることを特徴とする請求項２に記載の硬貨摩耗又は変形検出装置。
【請求項４】
更に、予め前記環状明部の幅の基準値を記憶する記憶部を有し、
前記判定部は、前記測定部で検出した前記環状明部の幅の測定値と前記記憶部に記憶された前記基準値とを比較する比較部を含むことを特徴とする請求項２又は３に記載の硬貨摩耗又は変形検出装置。
【請求項５】
硬貨周縁のエッジ部における摩耗又は変形を検出する装置であって、
硬貨面に対する照射角度が４５度を超えて９０度以下の範囲内で光を照射する光源部と、
前記光源部により照明された前記硬貨の反射光画像を取得する反射光撮像部と、
前記光源部により照明された前記硬貨面を含む領域の透過光を受光し、前記硬貨の陰影画像を取得する透過光撮像部と、
前記反射光画像から得られる前記硬貨の径と前記陰影画像から得られる前記硬貨の径との差に基づいて前記硬貨の周縁における摩耗又は変形の有無を判定する判定部と、
を有することを特徴とする硬貨摩耗又は変形検出装置。
【請求項６】
硬貨周縁のエッジ部における摩耗又は変形を検出する装置であって、
硬貨径よりも大きい円環状で硬貨面に対する照射角度が０度を超えて４５度以下の範囲内で光を照射するローアングル光源部と、
硬貨面に対する照射角度が４５度を超えて９０度以下の範囲内で光を照射するハイアングル光源部と、
前記ローアングル光源部により照明された前記硬貨のローアングル全体反射画像、及び、前記ハイアングル光源部により照明された前記硬貨のハイアングル全体反射画像を撮像する撮像部と、
前記ローアングル全体反射画像の硬貨径と前記ハイアングル全体反射画像の硬貨径とを比較し、前記硬貨の周縁における摩耗又は変形の有無を判定する判定部と、
を有することを特徴とする硬貨摩耗又は変形検出装置。
【請求項７】
請求項１〜６のいずれかに記載の硬貨摩耗又は変形検出装置を備えることを特徴とする硬貨処理機。
【請求項８】
前記判定部により摩耗有り又は変形有りと判定された硬貨を除去するリジェクト部を更に有することを特徴とする請求項７に記載の硬貨処理機。
【請求項９】
硬貨周縁のエッジ部における摩耗又は変形を検出する方法であって、
硬貨径よりも大きい円環状の光源部が、硬貨面に対して０度を超えて４５度以下の範囲内の照射角度で光を照射するとともに、撮像部が、前記光源部により照明された前記硬貨の全体反射画像を撮像する撮像ステップと、
判定部が、前記撮像部で撮像された前記全体反射画像における周縁の輝度分布に基づいて前記硬貨の周縁における摩耗又は変形の有無を判定する判定ステップと、
を有することを特徴とする硬貨摩耗又は変形検出方法。
【請求項１０】
硬貨周縁のエッジ部における摩耗又は変形を検出する方法であって、
光源部が、硬貨面に対して４５度を超えて９０度以下の範囲内の照射角度で光を照射するとともに、反射光撮像部が、前記光源部により照明された前記硬貨の反射光画像を取得し、透過光撮像部が、前記光源部により照明された前記硬貨面を含む領域の透過光を受光して前記硬貨の陰影画像を取得する撮像ステップと、
判定部が、前記反射光画像から得られる前記硬貨の径と前記陰影画像から得られる前記硬貨の径との差に基づいて前記硬貨の周縁における摩耗又は変形の有無を判定する判定ステップと、
を有することを特徴とする硬貨摩耗又は変形検出方法。
【請求項１１】
硬貨周縁のエッジ部における摩耗又は変形を検出する方法であって、
硬貨径よりも大きい円環状のローアングル光源部が、硬貨面に対して０度を超えて４５度以下の範囲内の照射角度で光を照射するとともに、撮像部が、前記ローアングル光源部により照明された前記硬貨のローアングル全体反射画像を撮像する第一の撮像ステップと、
ハイアングル光源部が、硬貨面に対して４５度を超えて９０度以下の範囲内の照射角度で光を照射するとともに、撮像部が、前記ハイアングル光源部により照明された前記硬貨のハイアングル全体反射画像を撮像する第二の撮像ステップと、
判定部が、前記ローアングル全体反射画像の硬貨径と前記ハイアングル全体反射画像の硬貨径とを比較し、比較結果に基づいて前記硬貨の周縁における摩耗又は変形の有無を判定する判定ステップと、
を有することを特徴とする硬貨摩耗又は変形検出方法。
【発明の詳細な説明】
【技術分野】
【０００１】
本発明は、硬貨摩耗又は変形検出装置、硬貨処理機、及び、硬貨摩耗又は変形検出方法に関する。より詳しくは、硬貨周縁のエッジ部における摩耗や変形を検出する硬貨摩耗又は変形検出装置、硬貨処理機、及び、硬貨摩耗検出方法に関するものである。
【背景技術】
【０００２】
従来、硬貨の画像を取得し、予め用意した基準値との比較結果に基づき硬貨の識別を行う技術が知られている。当該技術においては、比較結果を用いて、硬貨表面における摩耗や損傷を検出することが可能である。
【０００３】
例えば、特許文献１には、コイン又は他の製造品の鑑定の方法及び装置に係る発明が開示されており、具体的には、デジタルカメラ等の感知デバイスを用いてコインの画像を撮影するステップと、当該コインの目印を使用して画像の取得領域の場所を特定するステップと、取得領域のデジタル表現を生成するステップとを含む方法等が開示されている。また、鑑定対象のコインのデジタル表現が、データベース中のコインのデジタル表現と一致するか判定する際に、コイン表面の劣化及びコイン表面細部の摩耗を評価する基準を用いてもよいことが記載されている。
【０００４】
また、特許文献２には、円形被検出体の識別方法に係る発明が開示されており、具体的には、硬貨等の円形被検出体の凹凸パターンをセンサで検出し、検出した凹凸パターンのデータを予め用意しておいた基準パターンデータと比較してパターン類似度を求め、パターン類似度がしきい値を超えているかどうかに基づき円形被検出体を識別することが記載されている。
【先行技術文献】
【特許文献】
【０００５】
【特許文献１】特表２０１４−５１３３５０号公報
【特許文献２】特開２００３−１８７２８９号公報
【発明の概要】
【発明が解決しようとする課題】
【０００６】
ところで、硬貨処理機において硬貨を処理する際、硬貨周縁のエッジ部が摩耗していると、特に硬貨の径差を利用して選別を行う場合に、硬貨を誤って選別する可能性がある。特許文献１及び２の技術によれば、硬貨表面における摩耗については検出することが可能であるが、硬貨周縁のエッジ部の摩耗については検出できない。これらのことから、硬貨周縁で生じる摩耗や変形を検出する方法が求められていた。
【０００７】
本発明は、上記現状に鑑みてなされたものであり、硬貨周縁のエッジ部の摩耗又は変形を検出することが可能な硬貨摩耗又は変形検出装置、硬貨処理機、及び、硬貨摩耗又は変形検出方法を提供することを目的とするものである。
【課題を解決するための手段】
【０００８】
上述した課題を解決し、目的を達成するために、本発明は、硬貨周縁のエッジ部における摩耗又は変形を検出する装置であって、硬貨径よりも大きい円環状で硬貨面に対する照射角度が０度を超えて４５度以下の範囲内で光を照射する光源部と、前記光源部により照明された前記硬貨の全体反射画像を撮像する撮像部と、前記撮像部で撮像された前記全体反射画像における周縁の輝度分布に基づいて前記硬貨の周縁における摩耗又は変形の有無を判定する判定部と、を有することを特徴とする。
【０００９】
また、本発明は、上記発明において、前記判定部は、前記全体反射画像の前記周縁に位置する環状明部の幅を測定する測定部を含むことを特徴とする。
【００１０】
また、本発明は、上記発明において、前記測定部は、前記全体反射画像の硬貨径と、前記環状明部に囲まれた前記全体反射画像の中央暗部の径との差から、前記環状明部の幅を求めることを特徴とする。
【００１１】
また、本発明は、上記発明において、更に、予め前記環状明部の幅の基準値を記憶する記憶部を有し、前記判定部は、前記測定部で検出した前記環状明部の幅の測定値と前記記憶部に記憶された前記基準値とを比較する比較部を含むことを特徴とする。
【００１２】
また、本発明は、硬貨周縁のエッジ部における摩耗又は変形を検出する装置であって、硬貨面に対する照射角度が４５度を超えて９０度以下の範囲内で光を照射する光源部と、前記光源部により照明された前記硬貨の反射光画像を取得する反射光撮像部と、前記光源部により照明された前記硬貨面を含む領域の透過光を受光し、前記硬貨の陰影画像を取得する透過光撮像部と、前記反射光画像から得られる前記硬貨の径と前記陰影画像から得られる前記硬貨の径との差に基づいて前記硬貨の周縁における摩耗又は変形の有無を判定する判定部と、を有することを特徴とする。
【００１３】
また、本発明は、硬貨周縁のエッジ部における摩耗又は変形を検出する装置であって、硬貨径よりも大きい円環状で硬貨面に対する照射角度が０度を超えて４５度以下の範囲内で光を照射するローアングル光源部と、硬貨面に対する照射角度が４５度を超えて９０度以下の範囲内で光を照射するハイアングル光源部と、前記ローアングル光源部により照明された前記硬貨のローアングル全体反射画像、及び、前記ハイアングル光源部により照明された前記硬貨のハイアングル全体反射画像を撮像する撮像部と、前記ローアングル全体反射画像の硬貨径と前記ハイアングル全体反射画像の硬貨径とを比較し、前記硬貨の周縁における摩耗又は変形の有無を判定する判定部と、を有することを特徴とする。
【００１４】
また、本発明は、前記硬貨摩耗又は変形検出装置を備えることを特徴とする硬貨処理機である。
【００１５】
また、本発明は、上記発明において、前記判定部により摩耗有り又は変形有りと判定された硬貨を除去するリジェクト部を更に有することを特徴とする。
【００１６】
また、本発明は、硬貨周縁のエッジ部における摩耗又は変形を検出する方法であって、硬貨径よりも大きい円環状の光源部が、硬貨面に対して０度を超えて４５度以下の範囲内の照射角度で光を照射するとともに、撮像部が、前記光源部により照明された前記硬貨の全体反射画像を撮像する撮像ステップと、判定部が、前記撮像部で撮像された前記全体反射画像における周縁の輝度分布に基づいて前記硬貨の周縁における摩耗又は変形の有無を判定する判定ステップと、を有することを特徴とする。
【００１７】
また、本発明は、硬貨周縁のエッジ部における摩耗又は変形を検出する方法であって、光源部が、硬貨面に対して４５度を超えて９０度以下の範囲内の照射角度で光を照射するとともに、反射光撮像部が、前記光源部により照明された前記硬貨の反射光画像を取得し、透過光撮像部が、前記光源部により照明された前記硬貨面を含む領域の透過光を受光して前記硬貨の陰影画像を取得する撮像ステップと、判定部が、前記反射光画像から得られる前記硬貨の径と前記陰影画像から得られる前記硬貨の径との差に基づいて前記硬貨の周縁における摩耗又は変形の有無を判定する判定ステップと、を有することを特徴とする。
【００１８】
また、本発明は、硬貨周縁のエッジ部における摩耗又は変形を検出する方法であって、硬貨径よりも大きい円環状のローアングル光源部が、硬貨面に対して０度を超えて４５度以下の範囲内の照射角度で光を照射するとともに、撮像部が、前記ローアングル光源部により照明された前記硬貨のローアングル全体反射画像を撮像する第一の撮像ステップと、ハイアングル光源部が、硬貨面に対して４５度を超えて９０度以下の範囲内の照射角度で光を照射するとともに、撮像部が、前記ハイアングル光源部により照明された前記硬貨のハイアングル全体反射画像を撮像する第二の撮像ステップと、判定部が、前記ローアングル全体反射画像の硬貨径と前記ハイアングル全体反射画像の硬貨径とを比較し、比較結果に基づいて前記硬貨の周縁における摩耗又は変形の有無を判定する判定ステップと、を有することを特徴とする。
【発明の効果】
【００１９】
本発明の硬貨摩耗又は変形検出装置、硬貨処理機、及び、硬貨摩耗又は変形検出方法によれば、硬貨周縁のエッジ部の摩耗又は変形を検出することができる。
【図面の簡単な説明】
【００２０】
【図１】（ａ）〜（ｄ）は、硬貨の形状の一例を示した図であり、（ａ）は、円形硬貨の平面図であり、（ｂ）は、多角形硬貨の平面図であり、（ｃ）は、円形硬貨又は多角形硬貨の断面図であり、（ｄ）は、（ｃ）中の点線で囲んだ部分を拡大して示した断面図である。
【図２】実施形態１の硬貨摩耗又は変形検出装置が備える光学センサの斜視模式図である。
【図３】図２の光学センサの搬送面を示す平面模式図である。
【図４】図２の光学センサから搬送路側カバーを取り外して内部構造を示した図である。
【図５】図２の光学センサの断面模式図である。
【図６】撮像部によって撮像される硬貨の全体反射画像の例を示した模式図であり、（ａ）は、硬貨周縁のエッジ部が摩耗した硬貨（摩耗貨）を示し、（ｂ）は、硬貨周縁のエッジ部が摩耗していない硬貨（正常貨）を示している。
【図７】硬貨周縁のエッジ部における摩耗が発生した硬貨と、全体反射画像の硬貨径Φ１及び全体反射画像の環状明部に囲まれた中央暗部の径Φ２との関係を示す図である。
【図８】実施形態１の硬貨摩耗又は変形検出装置の機能的な構成の一例を説明するブロック図である。
【図９】実施形態１の硬貨処理機の断面図である。
【図１０】実施形態１の硬貨処理機の斜視図である。
【図１１】実施形態１の硬貨処理機の処理機本体を処理機枠体から引き出した状態の平面図である。
【図１２】（ａ）は図１１のＡ−Ａ断面図、（ｂ）は図１１のＢ−Ｂ断面図である。
【図１３】実施形態２の硬貨摩耗又は変形検出装置が備える光学センサの断面模式図である。
【図１４】（ａ）は、硬貨の陰影画像を取得する透過光撮像部における透過光の受光パターンを示す図であり、（ｂ）は、反射光撮像部で得られる硬貨の反射光画像と、透過光撮像部で得られる硬貨の陰影画像を比較して示した図である。
【図１５】実施形態２の硬貨摩耗又は変形検出装置の機能的な構成の一例を説明するブロック図である。
【図１６】実施形態２の変形例の硬貨摩耗又は変形検出装置が備える光学センサの断面模式図である。
【図１７】実施形態２の変形例においてビームスプリッターの下方に配置される反射光撮像部の反射光の受光パターンを示す図である。
【図１８】実施形態３の硬貨摩耗又は変形検出装置が備える光学センサの断面模式図である。
【図１９】ローアングル全体反射画像とハイアングル全体反射画像とを比較して示した図である。
【発明を実施するための形態】
【００２１】
以下、図面を参照して、本発明に係る硬貨摩耗又は変形検出装置及び硬貨摩耗又は変形検出方法の実施形態を詳細に説明する。なお、本発明に係る硬貨摩耗又は変形検出装置及び硬貨摩耗又は変形検出方法は、硬貨の摩耗、欠け等の硬貨周縁で生じる変形全般の検出に適用することが可能なものであるが、以下の実施形態１〜３では、説明の便宜上、硬貨の摩耗を検出する場合を中心に説明する。
【００２２】
（実施形態１）
実施形態１の硬貨摩耗又は変形検出装置は、光源部及び撮像部を含む光学センサにより硬貨を撮像し、取得した硬貨の全体反射画像を基に、硬貨周縁のエッジ部における摩耗又は変形を検出するものである。なお、本明細書において「硬貨」とは、硬貨及びそれに類似する大きさ及び形状を有する媒体全般を意味し、金属製の貨幣だけでなく、メダルや、樹脂製の貨幣（樹脂コイン）等も含まれる。図１（ａ）〜（ｄ）は、硬貨の形状の一例を示した図であり、図１（ａ）は、円形硬貨の平面図であり、図１（ｂ）は、多角形硬貨の平面図であり、図１（ｃ）は、円形硬貨又は多角形硬貨の断面図であり、図１（ｄ）は、図１（ｃ）中の点線で囲んだ部分を拡大して示した断面図である。図１（ａ）及び（ｂ）に示すように、硬貨周縁１００ａとは、硬貨１００を平面視したときに硬貨面の輪郭を形成する外縁を指し、図１（ｃ）に示すように、硬貨周縁のエッジ部１００ｂとは、硬貨１００の硬貨面と側面とで形成される角部を指す。すなわち、実施形態１の硬貨摩耗又は変形検出装置が検出する「硬貨周縁のエッジ部」とは、硬貨面に施された模様の凹凸によるエッジとは異なるものである。図１（ｄ）は、摩耗後の硬貨周縁のエッジ部１００ｂの断面形状を示しており、比較のため、二点破線によって摩耗前の断面形状が示されている。図１（ｄ）に示すように、摩耗していない硬貨周縁のエッジ部１００ｂは、断面視したときに直角又は略直角であるが、長期使用等によって摩耗した硬貨周縁のエッジ部１００ｂは、角が面取りされて曲面状である。
【００２３】
まず、図２〜５を用いて、実施形態１の硬貨摩耗又は変形検出装置が備える光学センサの構成について説明する。図２は、実施形態１の硬貨摩耗又は変形検出装置が備える光学センサの斜視模式図である。図３は、図２の光学センサの搬送面を示す平面模式図である。図４は、図２の光学センサから搬送路側カバーを取り外して内部構造を示した図である。図５は、図２の光学センサの断面模式図である。図２及び４中の矢印は、搬送路を上流側から下流側に向かって通過する硬貨１００の搬送方向を示している。
【００２４】
硬貨１００は、搬送路に沿って搬送面の上方に張られた搬送ベルト２１ａと、搬送ベルト２１ａに対して一定間隔で固定された搬送ピン２１ｂとを含む搬送部２１により搬送され、光学センサ２０を通過する。搬送ベルト２１ａは、プーリー、モータ等を備える駆動装置によって駆動される。円柱状の搬送ピン２１ｂが硬貨１００の外縁部に接触し、搬送ベルト２１ａが移動することによって、硬貨１００は、一枚ずつ間隔を空けて搬送路上を搬送される。なお、搬送部２１の構成は、硬貨１００を搬送することができるものであれば図示した構成に限定されず、搬送ピン２１ｂを省略して搬送ベルト２１ａのみとしてもよいし、搬送ピン２１ｂの形状及び大きさを変更してもよい。搬送ピン２１ｂが省略される場合には、搬送ベルト２１ａが硬貨１００の上面を押さえつつ硬貨１００とともに移動する。搬送ベルト２１ａを設けることにより、搬送路の表面や搬送ガイド２８に硬貨１００を接触させた状態で摺動させることができるので、光学センサ２０による検出の精度を向上することができる。硬貨１００は、搬送路の端部に片寄せされた状態で、すなわち、硬貨１００の端面が搬送ガイド２８に接触した状態で、搬送面上を摺動することが好ましい。
【００２５】
光学センサ２０は、撮像領域２２ａに対応して設けられた円形の平面形状を有する透明部２２の下方に、撮像領域２２ａを照明する光源部２３と、撮像領域２２ａを撮像する撮像部２４とを有する。上記構成により、透明部２２上を通過する硬貨１００を照明しつつ撮像することができる。
【００２６】
具体的には、上方が開口した箱状の筐体２６の内部に、光源部２３及び撮像部２４が設置され、筐体２６の上部に、搬送路側カバー２７及び搬送ガイド２８が取り付けられる。搬送路側カバー２７の中央には、上記透明部２２が設けられている。透明部２２の材質は、強度及び透明性に優れていることが望ましく、サファイヤガラスが好適に用いられる。透明部２２の寸法は、撮像対象となる１種以上の硬貨１００のうちで最大径を有する硬貨の径よりも大きいことが望ましい。搬送ガイド２８は、搬送路側カバー２７の上面よりも突出するように設けられており、硬貨１００が通過する搬送路の幅を規定する側壁として機能する。搬送路側カバー２７及び搬送ガイド２８の材質は特に限定されず、硬質樹脂、セラミック、金属等で構成される。
【００２７】
光源部２３は、平面視において撮像領域２２ａの中心を囲むように配置された複数の発光素子２３ａと、発光素子２３ａの上に配置された円環状のプリズム（導光体）２３ｂと、を含む円環状照明である。円環状照明の径は、撮像対象となる１種以上の硬貨１００のうちで最大径を有する硬貨の径よりも大きくされる。このような円環状照明を用いることにより、撮像領域２２ａを通過する硬貨１００を周囲から均一に照明することができるので、硬貨１００の全周の周縁について鮮明な画像を撮影することができる。
【００２８】
図５中の二点鎖線は、光源部２３が発した光の光路を示している。図示されているように、光源部２３は、硬貨面（透明部２２の上面）に対する照射角度が０度を超えて４５度以下の範囲内で光を照射する。照射角度が４５度を超えると、硬貨周縁のエッジ部１００ｂが摩耗している場合に得られる反射光量が少なくなるため、摩耗の有無を判定し難くなる。光源部２３の硬貨面に対する照射角度は、２０〜２５度の範囲内であることが好ましい。なお、本明細書において、硬貨面に対する照射角度が０度を超えて４５度以下の範囲内で光を照射する光源部を「ローアングル光源部」ともいい、硬貨面に対する照射角度が４５度を超えて９０度以下の範囲内で光を照射する光源部を「ハイアングル光源部」ともいう。上記のように、実施形態１では、ローアングル光源部が用いられる。
【００２９】
発光素子２３ａとしては、発光ダイオード（ＬＥＤ）が好適である。複数の発光素子２３ａが発する光の波長域は特に限定されず、赤外光、可視光等を用いることができ、硬貨１００の色の検知能力を高める観点からは、白色光が好適である。また、複数の発光素子２３ａの各々が異なる波長域の光を発してもよく、例えば、赤色、緑色及び青色の光をそれぞれ照射する３種のＬＥＤで白色光を得てもよい。各発光素子２３ａの発光面は上方に設けられ、発光素子２３ａが発した光は、プリズム２３ｂに入射する。プリズム２３ｂは、図４に示したように、発光素子２３ａの発光面に対向する下面（入光面）と、下面から入射した上方へ向かう光を撮像領域２２ａの方向へ反射させる反射面と、撮像領域２２ａに対向する出光面とを有する。プリズム２３ｂの出光面と撮像領域２２ａとの間には、光を拡散させる機能を有する円環状の光拡散フィルムを設けてもよい。
【００３０】
撮像部２４は、光源部２３により照明された硬貨１００の全体反射画像を撮像するものであり、ＣＭＯＳイメージセンサ、ＣＣＤイメージセンサ等が配置された光電変換部２４ａと、撮像領域２２ａを通過する硬貨１００で反射された光を受光して光電変換部２４ａの受光面に結像させるレンズユニット２４ｂとを含む。撮像部２４は、撮像領域２２ａの法線方向に配置されることが好ましい。
【００３１】
図６は、撮像部２４によって撮像される硬貨１００の全体反射画像１１０の例を示した模式図である。ローアングル光源部により照明した場合には、硬貨面に対する照射角度が小さいことから、硬貨周縁のエッジ部１００ｂが摩耗していると、摩耗した部分での反射光量が大きくなる。したがって、全体反射画像１１０における周縁の輝度分布に基づいて硬貨１００の周縁における摩耗の有無を判定することができる。上記周縁の輝度分布としては、例えば、上記周縁の輝度の大きさや、上記周縁の高輝度領域の大きさを利用することができる。本実施形態では、全体反射画像１１０の周縁に形成される環状明部（輝度が所定のしきい値よりも高い環状の領域）１１０ｂを利用する。硬貨周縁のエッジ部１００ｂにおける摩耗の発生量が大きいほど、全体反射画像１１０の周縁に位置する環状明部１１０ｂの幅が大きくなる。例えば、硬貨周縁のエッジ部１００ｂが摩耗した硬貨（以下、「摩耗貨」ともいう）の場合には、エッジ部１００ｂの摩耗した部分により光が反射されるため、図６（ａ）に示したように環状明部１１０ｂの幅が大きい。一方、硬貨周縁のエッジ部１００ｂが摩耗していない硬貨（以下、「正常貨」ともいう）の場合、図６（ｂ）に示したように環状明部１１０ｂの幅が小さい。
【００３２】
判定方法の具体例としては、硬貨１００の全体反射画像１１０から環状明部１１０ｂの幅を測定し、予め設定した環状明部１１０ｂの幅の基準値と比較する方法が挙げられる。環状明部１１０ｂの幅は、例えば、全体反射画像１１０の硬貨径Φ１と、全体反射画像の環状明部１１０ｂに囲まれた中央暗部の径Φ２との差から求めることができる。図７に示すように、全体反射画像１１０に含まれる環状明部１１０ｂの幅（Φ１−Φ２）は、硬貨周縁のエッジ部１００ｂにおける摩耗が発生した部分の幅に対応する。
【００３３】
図６（ａ）に示した摩耗貨の全体反射画像１１０から測定される環状明部１１０ｂの幅は、以下のように求められる。
（２１ｍｍ（Φ１）−１９ｍｍ（Φ２））／２＝１ｍｍ（環状明部の幅）
【００３４】
一方、図６（ｂ）に示した正常貨の全体反射画像１１０から測定される環状明部１１０ｂの幅は、以下のように求められる。
（２１ｍｍ（Φ１）−２０．４ｍｍ（Φ２））／２＝０．３ｍｍ（環状明部の幅）
【００３５】
次に、図８に示すブロック図を用いて、実施形態１の硬貨摩耗又は変形検出装置の機能的な構成の一例を説明する。図８に示す例では、硬貨摩耗又は変形検出装置は、搬送部２１、光源部２３（発光素子２３ａ）、撮像素子２４といった既出の構成要素に加え、制御部３０、記憶部５０及び判定部７０を備える。
【００３６】
制御部３０は、搬送制御部３１、撮像制御部３３及び画像検出部３４を含む。搬送制御部３１は、搬送ベルト２１ａ等で構成される搬送部２１による硬貨１００の搬送を制御する。撮像制御部３３は、発光素子２３ａの発光タイミング及び撮像部２４の撮影タイミングを制御し、両者を同期させる。画像検出部３４は、撮像部２４の出力に基づいて硬貨１００の全体反射画像１１０を作成する。なお、制御部３０と、発光素子２３ａ、撮像部２４等のセンサ構成部材との間には、適宜、増幅回路、フィルタ回路、ＡＤ変換回路、駆動回路等の硬貨処理機の分野において一般的な回路が介在してもよい。
【００３７】
記憶部５０は、硬貨摩耗又は変形検出装置で行われる処理に必要な各種のデータを記憶するために利用され、具体的には、環状明部１１０ｂの幅の基準値５１等の処理対象の硬貨１００に関する硬貨情報を予め格納しており、硬貨１００の処理に伴い、硬貨１００の全体反射画像１１０や、硬貨１００の全体反射画像１１０から測定された環状明部１１０ｂの幅の測定値５２を格納する。なお、環状明部１１０ｂの幅の基準値５１は、処理対象の硬貨１００の種類（金種）ごとに準備されることが好ましい。この場合、硬貨摩耗又は変形検出装置における摩耗の有無の判定前に、硬貨摩耗又は変形検出装置が組み込まれる硬貨処理機内において金種判定が先行して行われることが好ましい。
【００３８】
判定部７０は、硬貨１００の全体反射画像１１０における周縁の輝度分布に基づいて硬貨１００の周縁における摩耗の有無を判定するために利用され、具体的には、全体反射画像１１０から環状明部１１０ｂの幅の測定値５２を取得する測定部７１と、得られた測定値５２と環状明部１１０ｂの幅の基準値５１とを比較する比較部７６とを含む。測定部７１は、全体反射画像１１０の硬貨径と、環状明部１１０ｂに囲まれた全体反射画像１１０の中央暗部（輝度が所定のしきい値よりも低い領域）の径との差から、環状明部１１０ｂの幅の測定値５２を取得する。比較部７６で得られた比較結果により、硬貨１００の周縁における摩耗の有無が判定される。
【００３９】
制御部３０及び判定部７０の物理的な構成としては、例えば、各種の処理を実現するためのソフトウェアプログラム、当該ソフトウェアプログラムを実行するＣＰＵ（中央処理装置）、当該ＣＰＵによって制御される各種ハードウェア、ＦＰＧＡ（Ｆｉｅｌｄ  Ｐｒｏｇｒａｍｍａｂｌｅ  Ｇａｔｅ  Ａｒｒａｙ）等の論理デバイス等を含むものが挙げられる。各部の動作に必要なソフトウェアプログラムやデータの保存には、記憶部５０や、別途専用に設けられたＲＡＭやＲＯＭ等のメモリ、ハードディスク等が利用される。
【００４０】
記憶部５０の物理的な構成としては、例えば、揮発性又は不揮発性のメモリやハードディスク等の記憶装置が挙げられる。
【００４１】
実施形態１の硬貨摩耗検出装置は、上記機能的構成を備えることから、以下の処理フローを実施できる。
まず、光源部２３が、硬貨面に対して０度を超えて４５度以下の範囲内の照射角度で光を照射するとともに、撮像部２４が、光源部２３により照明された硬貨１００の全体反射画像を撮像する撮像ステップが実施される。続いて、判定部７０が、撮像部２４で撮像された全体反射画像１１０における周縁の輝度分布に基づいて硬貨１００の周縁における摩耗の有無を判定する判定ステップが実施される。
【００４２】
実施形態１の硬貨摩耗又は変形検出装置は、硬貨を識別及び計数するために利用される硬貨処理機内に設けられてもよい。ここで、硬貨摩耗又は変形検出装置は、硬貨処理機から着脱可能に構成されたユニット部品であってもよいし、硬貨処理機と一体不可分に構成された硬貨処理機の一部分であってもよい。
【００４３】
以下、図９〜１２を用いて、実施形態１の硬貨摩耗又は変形検出装置が組み込まれた硬貨処理機の構成の一例について説明する。図９は、実施形態１の硬貨処理機の断面図、図１０は、実施形態１の硬貨処理機の斜視図、図１１は、実施形態１の硬貨処理機の処理機本体を処理機枠体から引き出した状態の平面図、図１２（ａ）は、図１１のＡ−Ａ断面図、図１２（ｂ）は、図１１のＢ−Ｂ断面図である。
【００４４】
処理機枠体５１１内に処理機枠体５１１の前面開口を通じて処理機本体５１２が装着されているとともに、処理機枠体５１１の両側内壁面に配設された両側のガイドレール機構５１３によって処理機本体５１２が処理機枠体５１１に対して引き出し可能に支持されている。
【００４５】
処理機本体５１２の前部５１２ａには、前面側上部位置で、上面右側に硬貨受入口５２５が形成されているとともに、上面左側に操作部５２６が形成され、さらに、前面下部位置で、左側寄りに受皿状の硬貨払出口５２７が形成され、右側に着脱収納箱５２８が着脱自在すなわち前方へ引出可能に配設され、中央に電源スイッチ５２９が配設されている。
【００４６】
硬貨受入口５２５は、処理機本体５１２内に投入される硬貨を受け入れるもので、底面が開口形成されている。硬貨払出口５２７は、処理機本体５１２内からの硬貨が払い出されるものである。
【００４７】
また、処理機本体５１２は、硬貨を金種別に区分収納する金種別収納部５４１を有し、硬貨受入口５２５ヘ投入された硬貨を１枚ずつ繰り込んで金種別収納部５４１へ分類収納する入金機構、出金指令に応じて金種別収納部５４１から必要な硬貨を繰り出して硬貨払出口５２７へ払い出す出金機構、硬貨回収指令に応じて金種別収納部５４１から硬貨を繰り出して硬貨払出口５２７ヘ回収する回収機構を有している。
【００４８】
硬貨受入口５２５の下側に硬貨受入口５２５の底面を構成する平ベルト５４２が前後方向に沿って配設され、この平ベルト５４２は後方の繰り込み方向に上昇傾斜され、平ベルト５４２の回転駆動によって平ベルト５４２上の硬貨が後方へ繰り込み搬送される。この平ベルト５４２の後端側上方には、平ベルト５４２の上面の回転方向と逆方向に逆転駆動されて平ベルト５４２上に載った硬貨が厚み方向に１枚ずつ通過するように規制する逆転ローラ５４３が配設されている。
【００４９】
平ベルト５４２の後端は硬貨通路５４４の入口に接続されている。この硬貨通路５４４は、処理機本体５１２の右側に沿って配設される硬貨識別通路部５４５及び処理機本体５１２の後側に沿って配設される金種別硬貨選別通路部５４６を有し、全体としてほぼＬ字状に形成されている。硬貨通路５４４は、通路底面を構成する通路板５４７上でかつ通路両側を構成する両側のガイド側板５４８及び５４９間に形成され、硬貨識別通路部５４５及び金種別硬貨選別通路部５４６の上方に沿ってそれぞれ張設される搬送ベルト５５０、５５１及び５５２によって硬貨が搬送される。なお、搬送ベルト５５０、５５１及び５５２による硬貨の搬送速度は平ベルト５４２による硬貨の繰り込み速度より速く、硬貨通路５４４内に繰り込まれた硬貨は１枚ずつ前後の間隔があけられた状態で搬送される。
【００５０】
硬貨識別通路部５４５には、一側のガイド側板５４８が通路中央側に突出して硬貨が接触しながら搬送される基準縁５４８ａとされ、この基準縁５４８ａに対応して、硬貨識別部（磁気センサ）５５３、光学センサ２０及び硬貨選別部５５４が順に配設されている。なお、通常の搬送では、硬貨識別部５５３が光学センサ２０の上流に位置するが、硬貨処理機は搬送方向を双方向に切り換え可能であり、逆搬送では、光学センサ２０が硬貨識別部５５３の上流に位置することになる。硬貨識別部５５３では、硬貨の材質、直径、孔の有無等から正常、異常及び金種が識別される。硬貨選別部５５４は、光学センサ２０で摩耗貨や変形貨、硬貨識別部５５３で異常硬貨及び金種別収納部５４１が満杯になったときのオーバーフロー硬貨等が識別されたとき、それら硬貨を強制的に落下させて選別するもので、通路板５４７に選別孔５５５が形成され、この選別孔５５５内に、ソレノイドＳＤ１によって通路幅方向で通路内外に進退移動されるシャッタ５５６が配置されている。選別孔５５５の下側には選別孔５５５から落下した硬貨を着脱収納箱５２８に導くシュート５５７が取り付けられている。そして、通常はシャッタ５５６が通路内に進入した状態にあって硬貨の通過が許容され、また、光学センサ２０で摩耗貨や変形貨、硬貨識別部５５３で異常硬貨及びオーバーフロー硬貨が識別された場合にシャッタ５５６が通路外に退避され、硬貨が選別孔５５５から落下されて下方の着脱収納箱５２８に収納される。このように、硬貨処理機は、判定部により摩耗有り又は変形有りと判定された硬貨（摩耗貨や変形貨）を除去するリジェクト（排出）部を有するものである。
【００５１】
金種別硬貨選別通路部５４６は、他側のガイド側板５４９が通路中央側に突出して基準縁５４９ａとされ、この基準縁５４９ａに沿って上流側の小径硬貨から下流側の大径硬貨の順に金種別に径選別する選別孔５５８が形成されている。各選別孔５５８から落下された硬貨は下方の金種別収納部５４１に金種別に区分収納される。本実施形態では、摩耗貨や変形貨が選別孔５５５から落下させられ、金種別硬貨選別通路部５４６には搬送されないことにより、硬貨の誤選別が防止されている。
【００５２】
金種別収納部５４１は、収納部枠５８１によって処理機本体５１２の左右方向に金種別に区画形成されており、収納部枠５８１の上部には蓋体５８２によって開閉される開口部５８３が形成されている。各金種別収納部５４１の底面は平ベルト５８４によって構成され、この平ベルト５８４は前方の払出方向へ向けて上昇する傾斜状に張設されて、その払出方向に回転駆動される。
【００５３】
平ベルト５８４の前端側上方には、平ベルト５８４の上面の回転方向と逆方向に逆転駆動されて平ベルト５８４上に載った硬貨が厚み方向に１枚ずつ通過するように規制する逆転ローラ５８５が配設されている。逆転ローラ５８５の前側には、平ベルト５８４によって搬送される硬貨を停止させるストッパ機構５８６が配設されており、このストッパ機構５８６は、ストッパ５８７及びこのストッパ５８７を硬貨の搬送領域に対して進退させるソレノイドＳＤ３を有している。ストッパ機構５８６の前側には、ストッパ機構５８６を通過して放出される硬貨を検知するフォトセンサにて構成された計数センサ５８８が配設されている。
【００５４】
各金種別収納部５４１から硬貨が放出される前側位置には、各金種別収納部５４１から放出された硬貨を硬貨払出口５２７に導くシュート５８９が配設されている。
【００５５】
硬貨処理機の使用状態では、硬貨処理機がレジ台の上面に載せられ、硬貨処理機上にキャッシュレジスタ６０７が載せられて使用される。
【００５６】
（実施形態２）
実施形態２の硬貨摩耗又は変形検出装置は、ローアングル光源部の代わりにハイアングル光源部を備え、硬貨の反射光画像から得られる硬貨１００の径と硬貨の陰影画像から得られる硬貨１００の径を比較して摩耗又は変形の有無の判定を行う点で、実施形態１の硬貨摩耗又は変形検出装置とは異なる。以下、実施形態２の硬貨摩耗又は変形検出装置について具体的に説明するが、実施形態１の硬貨摩耗又は変形検出装置と共通する事項については、適宜説明を省略する。
【００５７】
図１３は、実施形態２の硬貨摩耗又は変形検出装置が備える光学センサ２２０の断面模式図である。図１４（ａ）は、硬貨の陰影を取得する透過光撮像部における透過光の受光パターンを示す図であり、図１４（ｂ）は、反射光撮像部で得られる硬貨の反射光画像と、透過光撮像部で得られる硬貨の陰影画像を比較して示した図である。図１５は、実施形態２の硬貨摩耗又は変形検出装置の機能的な構成の一例を示すブロック図である。図中の二点鎖線は、ハイアングル光源部２２３の面発光光源（図示せず）が発した光が硬貨１００に入射するまでの光路を示し、点線は、硬貨１００で反射された光の光路を示している。
【００５８】
光学センサ２２０が備えるハイアングル光源部２２３は、面発光光源の光をビームスプリッター２２３ｂで反射させる構成を有し、透明部２２の下方側の法線方向から硬貨１００の全面を照明する。実施形態２で用いられるハイアングル光源部２２３は、硬貨面に対する照射角度が８０〜９０度の範囲内であることが好ましい。
【００５９】
上記面発光光源は特に限定されないが、例えば、表面に複数の発光素子（ＬＥＤ）が実装された発光基板が用いられる。ビームスプリッター２２３ｂは、面発光光源から入射した光を撮像領域に向けて反射させ、かつ、撮像領域を通過する硬貨１００の表面で反射された光を透過させる。ビームスプリッター２２３ｂを透過した光が反射光撮像部２２４ａにより受光される。ビームスプリッター２２３ｂは、面発光光源から発せられた光の進行方向、及び硬貨１００の搬送面に対して、斜め方向に向けられた反射面を有し、例えば、図１３に示すように、硬貨１００の搬送面に対して４５°に傾斜する反射面が設けられる。なお、ビームスプリッター２２３ｂは、入射光を反射させる機能と透過させる機能の両方を有するものであればよく、透過光と反射光の割合は特に限定されないが、透過光と反射光の割合が１：１となる特性を示すハーフミラーが好適に用いられる。
【００６０】
光学センサ２２０は、ハイアングル光源部２２３により照明された硬貨の反射光を受光する反射光撮像部２２４ａと、硬貨面を含む領域の透過光を受光する透過光撮像部２２４ｂとを備える。反射光撮像部２２４ａは、実施形態１と同様に、ＣＭＯＳイメージセンサ等が配置された光電変換部２４ａと、撮像領域を通過する硬貨１００で反射された光を受光して光電変換部２４ａの受光面に結像させるレンズユニット２４ｂとを含む。図１５に示したように、反射光撮像部２２４ａで得られた反射光の受光パターンから、反射光画像検出部２３４ａにより、実施形態１と同様にして硬貨１００の反射光画像１１０Ｒを作成することができ、測定部７１によって反射光画像１１０Ｒに基づき硬貨１００の径Ａが測定される。
【００６１】
透過光撮像部２２４ｂには、エリアフォトセンサが用いられる。図１４（ａ）に示したように、硬貨１００は光を透過しないので、透過光撮像部２２４ｂには、硬貨１００と重なり合わなかった領域のみに透過光が入射する。したがって、透過光撮像部２２４ｂが受光しなかった領域を硬貨１００が存在する領域とみなすことができる。透過光撮像部２２４ｂで得られた透過光の受光パターンから、陰影画像検出部２３４ｂにより、実施形態１と同様にして硬貨１００の陰影画像１１０Ｔを作成することができ、測定部７１によって硬貨１００の径Ｂが測定される。
【００６２】
本実施形態では、硬貨周縁のエッジ部１００ｂにおける摩耗の発生量が大きいほど、反射光画像から得られる硬貨１００の径Ａと陰影画像から得られる硬貨１００の径Ｂとの差が大きくなる。すなわち、陰影画像から得られる硬貨１００の径Ｂは、硬貨周縁のエッジ部１００ｂにおける摩耗の程度によって変化しないのに対し、反射光画像から得られる硬貨１００の径Ａは、硬貨周縁のエッジ部１００ｂが摩耗していると、小さくなる。これは、摩耗したエッジ部１００ｂに入射した光が拡散反射され、反射光が反射光撮像部２２４ａで受光されないためである。したがって、本実施形態においては、判定部７０が、反射光画像から得られる硬貨１００の径Ａと陰影画像から得られる硬貨１００の径Ｂとの差を比較する硬貨径比較部７７を備え、上記差の大きさに基づいて硬貨１００の周縁における摩耗の有無を判定する。
【００６３】
実施形態２の硬貨摩耗又は変形検出装置は、以下の処理フローを実施できる。
まず、ハイアングル光源部２２３が、硬貨面に対して４５度を超えて９０度以下の範囲内の照射角度で光を照射するとともに、反射光撮像部２２４ａが、ハイアングル光源部２２３により照明された硬貨の反射光画像を取得し、かつ透過光撮像部２２４ｂが、ハイアングル光源部２２３により照明された硬貨面を含む領域の透過光を受光して硬貨の陰影画像を取得する撮像ステップが実施される。続いて、判定部７０が、反射光画像から得られる硬貨１００の径Ａと陰影画像から得られる硬貨１００の径Ｂとの差に基づいて硬貨１００の周縁における摩耗の有無を判定する判定ステップが実施される。
【００６４】
（実施形態２の変形例）
図１６は、実施形態２の変形例の硬貨摩耗又は変形検出装置が備える光学センサ２３０の断面模式図である。図１６に示したように、実施形態２の硬貨摩耗又は変形検出装置は、光電変換部２４ａ及びレンズユニット２４ｂを含む反射光撮像部２２４ａに代えて、エリアフォトセンサで構成される反射光撮像部２３４を備える構成としてもよい。図１７に示したように、ビームスプリッター２２３ｂの下方側に配置される反射光撮像部２３４を設ければ、実施形態２と同様に、反射光の受光パターンから反射光画像１１０Ｒを作成し、硬貨１００の径Ａを測定することができる。
【００６５】
（実施形態３）
実施形態３の硬貨摩耗又は変形検出装置は、ローアングル光源部及びハイアングル光源部の両方を備え、ローアングル光源部により照明された硬貨１００の全体反射画像だけでなく、ハイアングル光源部により照明された硬貨１００の全体反射画像を採取して摩耗の有無の判定を行う点で、実施形態１の硬貨摩耗又は変形検出装置とは異なる。以下、実施形態３の硬貨摩耗又は変形検出装置について具体的に説明するが、実施形態１の硬貨摩耗又は変形検出装置と共通する事項については、適宜説明を省略する。
【００６６】
図１８は、実施形態３の硬貨摩耗又は変形検出装置が備える光学センサ３２０の断面模式図である。図１９は、ローアングル全体反射画像とハイアングル全体反射画像とを比較して示した図である。光学センサ３２０が備えるローアングル光源部は、実施形態１と同様の構造を有する。ローアングル光源部によって摩耗貨を照明した場合には、摩耗したエッジ部１００ｂにより光が拡散反射され、反射光が撮像部２４に入射するため、硬貨１００のローアングル全体反射画像１１０Ｌには、摩耗したエッジ部１００ｂが含まれる。また、光学センサ３２０が備えるハイアングル光源部は、実施形態２と同様の構造を有するものであり、面発光光源（図示せず）からの光をビームスプリッター２２３ｂで反射させ、透明部２２の下方側の法線方向から硬貨１００の全面を照明する。硬貨面で反射され、ビームスプリッター２２３ｂを透過した光が撮像部２４により撮像されることで、硬貨１００のハイアングル全体反射画像１１０Ｈが得られる。ハイアングル光源部によって摩耗貨を照明した場合には、摩耗したエッジ部１００ｂの反射光が撮像部２４に入射しないため、硬貨１００のハイアングル全体反射画像１１０Ｈには、摩耗したエッジ部１００ｂが含まれない。
【００６７】
本実施形態では、硬貨周縁のエッジ部１００ｂにおける摩耗の発生量が大きいほど、ローアングル光源部による照明時に取得されたローアングル全体反射画像１１０Ｌの硬貨径（最外径）Ｄと、ハイアングル光源部による照明時に取得されたハイアングル全体反射画像１１０Ｈの硬貨径（最外径）Ｃとの差が大きくなる。すなわち、ローアングル全体反射画像１１０Ｌの硬貨径Ｄは、硬貨周縁のエッジ部１００ｂにおける摩耗の程度によって変化しないのに対し、ハイアングル全体反射画像１１０Ｈの硬貨径Ｃは、硬貨周縁のエッジ部１００ｂが摩耗していると、小さくなる。したがって、本実施形態においては、判定部が、ローアングル全体反射画像１１０Ｌの硬貨径Ｄと、ハイアングル全体反射画像１１０Ｈの硬貨径Ｃとを比較し、比較結果に基づいて、硬貨の周縁における摩耗の有無を判定する。
【００６８】
実施形態３の硬貨摩耗検出装置は、以下の処理フローを実施できる。
まず、ローアングル光源部が、硬貨面に対して０度を超えて４５度以下の範囲内の照射角度で光を照射するとともに、撮像部２４が、ローアングル光源部により照明された硬貨１００のローアングル全体反射画像１１０Ｌを撮像する第一の撮像ステップが実施される。また、第一の撮像ステップと並行して、ハイアングル光源部が、硬貨面に対して４５度を超えて９０度以下の範囲内の照射角度で光を照射するとともに、撮像部２４が、ハイアングル光源部により照明された硬貨１００のハイアングル全体反射画像１１０Ｈを撮像する第二の撮像ステップが実施される。続いて、判定部により、ローアングル光源部による照明時に取得されたローアングル全体反射画像１１０Ｌの硬貨径Ｄと、ハイアングル光源部による照明時に取得されたハイアングル全体反射画像１１０Ｈの硬貨径Ｃとを比較し、比較結果に基づいて硬貨１００の周縁における摩耗の有無を判定する判定ステップが実施される。
【００６９】
以上、本発明に係る硬貨摩耗又は変形検出装置及び硬貨摩耗又は変形検出方法の実施形態を説明したが、本発明は、上記実施形態に限定されるものではない。上記実施形態の構成は、本発明の要旨を逸脱しない範囲において適宜削除されてもよいし、変更されてもよいし、組み合わされてもよい。
【００７０】
また、実施形態２及び３では、ハイアングル光源部として、ビームスプリッターを備える落射照明を用いたが、ハイアングル光源部は、ローアングル光源部と同様の円環状照明を用いてもよい。例えば、ローアングル光源部及びハイアングル光源部の両方に円環状照明を用いる場合には、複数段の円環状照明からそれぞれ異なる照射角度で硬貨に対して光を照射すればよい。
【００７１】
また、本発明は、硬貨の摩耗だけでなく、欠け等の硬貨周縁で生じる変形全般の検出に適用することが可能である。硬貨の摩耗は、硬貨の周縁全体で均一に発生することが多いが、硬貨の欠けは、硬貨の周縁の一部で発生することが多いので、例えば、硬貨周縁において摩耗幅が規定以上の大きさで変化している箇所がある場合には、変形と判断する方法を用いてもよい。
【産業上の利用可能性】
【００７２】
以上のように、本発明に係る硬貨摩耗又は変形検出装置及び硬貨摩耗又は変形検出方法は、硬貨周縁のエッジ部の摩耗又は変形を検出することができ、硬貨処理機における硬貨の適切な選別に有用な技術である。
【符号の説明】
【００７３】
２０、２２０、２３０、３２０：光学センサ
２１：搬送部
２１ａ：搬送ベルト
２１ｂ：搬送ピン
２２：透明部
２２ａ：撮像領域
２３：光源部
２３ａ：発光素子
２３ｂ：プリズム（導光体）
２４：撮像部
２４ａ：光電変換部
２４ｂ：レンズユニット
２６：筐体
２７：搬送路側カバー
２８：搬送ガイド
３０：制御部
３１：搬送制御部
３３：撮像制御部
３４：画像検出部
５０：記憶部
５１：基準値
５２：測定値
７０：判定部
７１：測定部
７６：比較部
７７：硬貨径比較部
１００：硬貨
１００ａ：硬貨周縁
１００ｂ：エッジ部
１１０：全体反射画像
１１０ｂ：環状明部
１１０Ｈ：ハイアングル全体反射画像
１１０Ｌ：ローアングル全体反射画像
１１０Ｒ：反射光画像
１１０Ｔ：陰影画像
２２３：ハイアングル光源部
２２３ｂ：ビームスプリッター
２２４ａ、２３４：反射光撮像部
２２４ｂ：透過光撮像部
２３４ａ：反射光画像検出部
２３４ｂ：陰影画像検出部
５１１：処理機枠体
５１２：処理機本体
５１２ａ：前部
５１３：ガイドレール機構
５２５：硬貨受入口
５２６：操作部
５２７：硬貨払出口
５２８：着脱収納箱
５２９：電源スイッチ
５４１：金種別収納部
５４２：平ベルト
５４３：逆転ローラ
５４４：硬貨通路
５４５：硬貨識別通路部
５４６：金種別硬貨選別通路部
５４７：通路板
５４８、５４９：ガイド側板
５４８ａ、５４９ａ：基準縁
５５０、５５１、５５２：搬送ベルト
５５３：硬貨識別部
５５４：硬貨選別部
５５５、５５８：選別孔
５５６：シャッタ
５５７：シュート
５８１：収納部枠
５８２：蓋体
５８３：開口部
５８４：平ベルト
５８５：逆転ローラ
５８６：ストッパ機構
５８７：ストッパ
５８８：計数センサ
５８９：シュート
６０７：キャッシュレジスタ
ＳＤ１、ＳＤ３：ソレノイド
【図１】
2019185652.tif 000003
【図２】
2019185652.tif 000004
【図３】
2019185652.tif 000005
【図４】
2019185652.tif 000006
【図５】
2019185652.tif 000007
【図６】
2019185652.tif 000008
【図７】
2019185652.tif 000009
【図８】
2019185652.tif 000010
【図９】
2019185652.tif 000011
【図１０】
2019185652.tif 000012
【図１１】
2019185652.tif 000013
【図１２】
2019185652.tif 000014
【図１３】
2019185652.tif 000015
【図１４】
2019185652.tif 000016
【図１５】
2019185652.tif 000017
【図１６】
2019185652.tif 000018
【図１７】
2019185652.tif 000019
【図１８】
2019185652.tif 000020
【図１９】
2019185652.tif 000021